(57)【要約】【課題】エアタンクを確実に固定し得る搭載体及びエアタンクの取付構造を提供する。【解決手段】車両のシャシフレーム１に取付けられる支持部１１と、支持部１１に載置される搭載体８と、支持部１１の側面１４にバンド締結部材１５を介して配置されるエアタンク１０とを備えた搭載体８及びエアタンク１０の取付構造であって、エアタンク１０の周側面１６が支持部１１の側面１４に接触し、エアタンク１０の周側面１６に形成された凸部１８，１９が支持部１１の側面１４及びバンド締結部材１５に非接触で配置されるよう、支持部１１の側面１４に滑らかな凹部１７を形成し、エアタンク１０の周側面１６が凹部１７に面接触となるよう構成する。【選択図】　　　　図１
2004058892.tif 000002
【特許請求の範囲】
【請求項１】
車両のシャシフレームに取付けられる支持部と、該支持部に載置される搭載体と、前記支持部の側面にバンド締結部材を介して配置されるエアタンクとを備えた搭載体及びエアタンクの取付構造であって、
前記エアタンクの周側面が支持部の側面に接触し、且つ前記エアタンクの周側面に形成された凸部が支持部の側面及びバンド締結部材に非接触で配置されるよう、前記支持部の側面に滑らかな凹部を形成し、前記エアタンクの周側面が前記凹部に面接触となるよう構成したことを特徴とする搭載体及びエアタンクの取付構造。
【請求項２】
バンド締結部材の固定先端を支持部の側面内に設けた請求項１記載の搭載体及びエアタンクの取付構造。
【発明の詳細な説明】
【０００１】
【発明の属する技術分野】
本発明は、シャシフレームに組み付ける搭載体及びエアタンクの取付構造に関するものである。
【０００２】
【従来の技術】
一般に、車両には、図２に示す如く、車両長手方向に沿って車両前方より所定長さで平行な左右一対のシャシフレーム１を備えており、シャシフレーム１の車両進行方向右側には、図３に示す如く、シャシフレーム１の側面より外方に向かって延在する鉄製で二本のフレーム部材２と、フレーム部材２の間に設置される鉄製の載置板３とから構成される支持部４を設けている。ここで、図２中、５はキャブ、６はタイヤを示している。
【０００３】
支持部４の載置板３の上面には、シャシフレーム１の延在方向に沿って複数個（図３では二個）の搭載体のバッテリ７を載置すると共に、バッテリ７の外方側には、リレー及びヒューズ等の搭載体の電装品ボックス８を配置している。
【０００４】
一方、シャシフレーム１における支持部４の隣接位置には、複数本（図３では二本）のバンド締結部材９を備え、エアタンク１０にバンド締結部材９を巻き付けることにより三本のエアタンク１０をまとめて配置している。ここで、三本のエアタンク１０の向きは、エアタンク１０の長手方向が夫々シャシフレーム１の延在方向に沿うよう、上方に二本、下方に一本で配置されており、夫々のバルブ等は車両の所定場所に夫々設置されている。
【０００５】
又、近年、バッテリ７の組み付け作業とエアタンク１０の組み付け作業とを一連に行えるよう、図４に示す如く、支持部１１の載置板１２の上面には、シャシフレーム１の延在方向に沿って配置される複数個（図４では二個）の搭載体のバッテリ７と、バッテリ７の列に並ぶよう隣接して配置されるリレー及びヒューズ等の搭載体の電装品ボックス８を備え、支持部１１のフレーム部材１３には、複数本（図４では二本）のバンド締結部材１５を備え、エアタンク１０にバンド締結部材１５を巻き付けることによりフレーム部材１３の外側の側面１４に夫々エアタンク１０を係止し、二本のエアタンク１０の間にはシャシフレーム１の延在方向に沿ってバッテリ７及び電装品ボックス８を挟み込むよう配置したものがある。
【０００６】
【発明が解決しようとする課題】
しかしながら、このように支持部１１の側面１４にエアタンク１０を配置すると、エアタンク１０の周側面１６は支持部１１の側面１４に線接触すると共に、エアタンク１０の周側面１６に生じる溶接ビードやボス等の凸部（図示せず）が支持部１１の側面１４もしくはバンド締結部材１５に接触し、エアタンク１０を十分に固定することができないという問題があった。
【０００７】
本発明は上述の実情に鑑みてなしたもので、エアタンクを確実に固定し得る搭載体及びエアタンクの取付構造を提供することを目的としている。
【０００８】
【課題を解決するための手段】
本発明の請求項１は、車両のシャシフレームに取付けられる支持部と、該支持部に載置される搭載体と、前記支持部の側面にバンド締結部材を介して配置されるエアタンクとを備えた搭載体及びエアタンクの取付構造であって、
前記エアタンクの周側面が支持部の側面に接触し、且つ前記エアタンクの周側面に形成された凸部が支持部の側面及びバンド締結部材に非接触で配置されるよう、前記支持部の側面に滑らかな凹部を形成し、前記エアタンクの周側面が前記凹部に面接触となるよう構成したことを特徴とする搭載体及びエアタンクの取付構造に係るものである。
【０００９】
本発明の請求項２は、バンド締結部材の固定先端を支持部の側面内に設けた請求項１記載の搭載体及びエアタンクの取付構造に係るものである。
【００１０】
このように、本発明の請求項１によれば、支持部の側面に滑らかな凹部を形成することにより、エアタンクの周側面が支持部の側面に面接触すると共に、エアタンクの周側面に形成された凸部が支持部の側面及びバンド締結部材に非接触で配置されるので、エアタンクを安定的に配置し、エアタンクを確実に固定することができる。
【００１１】
本発明の請求項２の如く、バンド締結部材の固定先端を支持部の側面内に設けると、バンド締結部材の固定先端が支持部の側面を貫通して突出することがないので、固定先端が、支持部の側面より内側に配置される搭載体への接触を防止することができる。
【００１２】
【発明の実施の形態】
以下、本発明の実施の形態を図面を参照しつつ説明する。
【００１３】
図１は本発明を実施する形態例を示すもので、図２〜図４と同一の符号を付した部分は同一物を表わしている。
【００１４】
図１に示す如く、搭載体及びエアタンクの取付構造は、支持部１１のフレーム部材１３に、複数本（図１では二本）のバンド締結部材１５を備え、エアタンク１０にバンド締結部材１５を巻き付けることによりフレーム部材１３の外側の側面１４に夫々エアタンク１０を係止し、二本のエアタンク１０の間にはシャシフレーム１の延在方向に沿って搭載体のバッテリ７及び電装品ボックス８を挟み込んでいる。
【００１５】
ここで、フレーム部材１３はアルミで構成されており、又、フレーム部材１３の側面１４は、バンド締結部材１５を上下に締結した部分の間に、所定の曲率でなめらかに湾曲した垂直断面形状円弧の凹部１７を形成している。凹部１７には、エアタンク１０の周側面１６が所定の範囲で面接触するように配置されると共に、バンド締結部材１５の締結部近傍の所定空間２０には、製造時に生じるエアタンク１０の延在方向に沿う溶接ビード１８や、エアタンク１０のボス１９等の凸部が、支持部１１の側面１４及びバンド締結部材１５に非接触になるように配置されている。なお、凹部１７が角部を備える場合にはフレーム部材１３の耐久性が低下するため、全てなめらかな曲面で形成されることが好ましい。
【００１６】
又、バンド締結部材１５の固定先端２１は、支持部１１の側面１４に形成される外側板２２にナット等の締結部材２３を介して締結されることにより、支持部１１の側面１４内に配置されている。
【００１７】
以下、本発明を実施する形態例の作用を説明する。
【００１８】
エアタンク１０を支持部１１の側面１４に配置する際には、エアタンク１０の凸部が支持部１１の側面１４及びバンド締結部材１５に接触しないよう、エアタンク１０の位置を支持部１１の側面１４の凹部１７で調整し、エアタンク１０にバンド締結部材１５を巻き付けて固定する。
【００１９】
このように、支持部１１の側面１４に滑らかな凹部１７を形成することにより、エアタンク１０の周側面１６が支持部１１の側面１４に面接触すると共に、エアタンク１０の周側面１６に形成された溶接ビード１８や、ボス１９等の凸部が支持部１１の側面１４及びバンド締結部材１５に非接触で配置されるので、エアタンク１０を安定的に配置し、エアタンク１０を確実に固定することができる。又、フレーム部材１３は鉄でなくアルミで構成されるので、支持部１１の軽量化を図ることができる。なお、支持部１１の載置板１２もアルミで構成することが好ましい。
【００２０】
バンド締結部材１５の固定先端２１を支持部１１の側面１４内に設けると、バンド締結部材１５の固定先端２１が支持部１１の側面１４を貫通して突出することがないので、固定先端２１が、支持部１１の側面１４より内側に配置される電装品ボックス８等の搭載体への接触を防止することができる。
【００２１】
なお、本発明の搭載体及びエアタンクの取付構造は、上述の形態例にのみ限定されるものではなく、支持部の下部にエアタンクを配置してもよいこと、エアタンクのバルブを集めたバルブ集合部を載置板に備えもよいこと、その他、本発明の要旨を逸脱しない範囲内において種々変更を加え得ることは勿論である。
【００２２】
【発明の効果】
以上のように、本発明の搭載体及びエアタンクの取付構造によれば、下記の如き種々の優れた効果を奏し得る。
【００２３】
Ｉ）本発明の請求項１によれば、支持部の側面に滑らかな凹部を形成することにより、エアタンクの周側面が支持部の側面に面接触すると共に、エアタンクの周側面に形成された凸部が支持部の側面及びバンド締結部材に非接触で配置されるので、エアタンクを安定的に配置し、エアタンクを確実に固定することができる。
【００２４】
ＩＩ）本発明の請求項２の如く、バンド締結部材の固定先端を支持部の側面内に設けると、バンド締結部材の固定先端が支持部の側面を貫通して突出することがないので、固定先端が、支持部の側面より内側に配置される搭載体への接触を防止することができる。
【図面の簡単な説明】
【図１】本発明の搭載体及びエアタンクの取付構造においてエアタンクを備えた状態の形態例を示す概略側面図である。
【図２】車両のシャシフレームを示す概略図である。
【図３】従来例の搭載体及びエアタンクの取付構造を示す概略平面図である。
【図４】従来例の他の搭載体及びエアタンクの取付構造を示す概略平面図である。
【符号の説明】
１　　シャシフレーム
７　　バッテリ（搭載体）
８　　電装品ボックス（搭載体）
９　　バンド締結部材
１０　　エアタンク
１１　　支持部
１４　　側面
１５　　バンド締結部材
１６　　周側面
１７　　凹部
１８　　溶接ビード（凸部）
１９　　ボス（凸部）
２１　　固定先端
【図１】
2004058892.tif 000003
【図２】
2004058892.tif 000004
【図３】
2004058892.tif 000005
【図４】
2004058892.tif 000006